(57)【要約】【課題】  本発明は、複数のサイズの携帯機器に対応することができ、汎用性の高いスピーカシステムを提供することを課題とする。【解決手段】  携帯機器１の下面にアタッチメント２を取り付け、アタッチメント２の案内溝２６にスピーカユニット３の案内突起３４を係合させながら、携帯機器１に固定されたアタッチメント２をスピーカユニット３に上方からセットしていき、アタッチメント２の底板２１をスピーカユニット３の支持部３２に当接させる。この状態では、アタッチメント２のロック用凹部２５にロック爪３３が嵌ってセットされたアタッチメント２がロックされると共に、アタッチメント２の一対の取り付けガイド２４に一対の電源出力用接続端子３１がそれぞれ嵌合され、携帯機器１の電源入力用接続端子１２とスピーカユニット３の電源出力用接続端子３１とがアタッチメント２の取り付けガイド２４を介して接続される。【選択図】        図１
2006080904.tif 000002
【特許請求の範囲】
【請求項１】
携帯機器がセットされるセットスペースに前記携帯機器の電源入力用接続端子に電源を供給する電源出力用接続端子が設けられているスピーカシステムであって、
前記携帯機器に取り付けられるアタッチメントを具備し、
前記アタッチメントには、前記携帯機器に取り付けられた状態で、前記携帯機器の前記電源入力用接続端子に接続されると共に、前記セットスペースにセットされた状態で、前記電源出力用接続端子に接続される導電性の取り付けガイドが設けられていることを特徴とするスピーカシステム。
【請求項２】
前記アタッチメントを前記セットスペースに固定する固定手段を具備することを特徴とする請求項１記載のスピーカシステム。
【請求項３】
前記アタッチメントは、前記携帯機器のバッテリパックを取り付けるためのボルト穴に螺合される取り付けボルトが回転自在に設けられていることを特徴とする請求項１又は２記載のスピーカシステム。
【発明の詳細な説明】
【技術分野】
【０００１】
本発明は、携帯型ミニディスク（ＭＤ）プレーヤや、携帯型半導体メモリプレーヤ等のオーディオ信号を再生する携帯機器で再生されたオーディオ信号を出力するスピーカシステムに関し、セットされた携帯機器に電源を供給しながら携帯機器で再生されたオーディオ信号を出力するスピーカシステムに関する。
【背景技術】
【０００２】
図７は、従来のスピーカシステムの構成を示す斜視図である。
携帯型ミニディスク（ＭＤ）プレーヤや、携帯型半導体メモリプレーヤ等の携帯機器１によって再生されたオーディオ信号をスピーカから音声出力するスピーカシステム４がある（例えば、特許文献１参照）。
【０００３】
このようなスピーカシステム４は、図７に示すように、携帯機器１をセットするスペースが形成されており、当該スペースの底面には、携帯機器１の一対の電源入力用接続端子１２に嵌合される一対の接続端子４１が設けられ、両側面には、セットされた携帯機器１をロックするロック爪４２が設けられており、セットされた携帯機器１に電源を供給することができるように構成されている。
【０００４】
しかしながら、従来技術では、セット対象の携帯機器のサイズに合わせて携帯機器をセットするスペースが設定されているため、他のサイズの携帯機器をセットすることができず、汎用性の低いという問題点があった。
【特許文献１】特開２００４−１３９６６１号公報
【発明の開示】
【発明が解決しようとする課題】
【０００５】
本発明は斯かる問題点に鑑みてなされたものであり、その目的とするところは、複数のサイズの携帯機器に対応することができ、汎用性の高いスピーカシステムを提供する点にある。
【課題を解決するための手段】
【０００６】
本発明は上記課題を解決すべく、以下に掲げる構成とした。
本発明のスピーカシステムは、携帯機器がセットされるセットスペースに前記携帯機器の電源入力用接続端子に電源を供給する電源出力用接続端子が設けられているスピーカシステムであって、前記携帯機器に取り付けられるアタッチメントを具備し、前記アタッチメントには、前記携帯機器に取り付けられた状態で、前記携帯機器の前記電源入力用接続端子に接続されると共に、前記セットスペースにセットされた状態で、前記電源出力用接続端子に接続される導電性の取り付けガイドが設けられていることを特徴とする。
【０００７】
さらに、本発明のスピーカシステムは、前記アタッチメントを前記セットスペースに固定する固定手段を具備することを特徴とする。
【０００８】
さらに、本発明のスピーカシステムは、前記アタッチメントは、前記携帯機器のバッテリパックを取り付けるためのボルト穴に螺合される取り付けボルトが回転自在に設けられていることを特徴とする。
【発明の効果】
【０００９】
本発明のスピーカシステムは、携帯機器に取り付けられた状態で、携帯機器の電源入力用接続端子に接続されると共に、セットスペースにセットされた状態で、電源出力用接続端子に接続される導電性の取り付けガイドが設けられているアタッチメントを用いることにより、複数のサイズの携帯機器に対応することができ、汎用性の高いという効果を奏する。
【発明を実施するための最良の形態】
【００１０】
以下、本発明の実施の形態を図面に基づいて詳細に説明する。
【００１１】
図１は、本発明に係るスピーカシステムの実施の形態の構成を示す斜視図であり、図２は、図１に示すアタッチメントの構成を示す図であり、（ａ）は、上面図であり、（ｂ）は、正面図である。図３は、図１に示すスピーカユニットの構成を示す図であり、（ａ）は、上面図であり、（ｂ）は、正面図である。図４は、図１に示す携帯機器にアタッチメントを固定した状態を示す正面図であり、図５および図６は、図１に示すスピーカユニットにアタッチメントを介して携帯機器を取り付けた状態を示す正面図である。
【００１２】
本実施の形態のスピーカシステムは、図１を参照すると、携帯機器１と、アタッチメント２と、スピーカユニット３とからなり、携帯機器１によって再生されたオーディオ信号をスピーカユニット３から音声出力する。
【００１３】
携帯機器１は、携帯型ミニディスク（ＭＤ）プレーヤや、携帯型半導体メモリプレーヤ等のオーディオ信号を再生する機器であり、下面には、図示しないバッテリパック（電池パック）を取り付けるためのボルト穴１１と、バッテリパックからの電源が入力される一対の電源入力用接続端子１２とが形成されている。
【００１４】
アタッチメント２は、図１および図２を参照すると、携帯機器１をスピーカユニット３にセットする際に用いられる部材であり、底板２１と、底板２１の両端に立設された一対の側板２２とからなる。底板２１には、携帯機器１のボルト穴１１に螺合される取り付けボルト２３が回転自在に設けられていると共に、携帯機器１の一対の電源入力用接続端子１２にそれぞれ嵌合される一対の取り付けガイド２４とが設けられている。
【００１５】
取り付けガイド２４は、導電性の部材で構成されており、底板２１を貫通して設けられ、底板２１の上面、すなわち携帯機器１が固定される側の面側に携帯機器１の電源入力用接続端子１２に嵌合される凸部が形成されていると共に、下面側に後述するスピーカユニット３の電源出力用接続端子３１が嵌合される凹部が形成されている。
【００１６】
一対の側板２２には、アタッチメント２をスピーカユニット３に固定するためのロック用凹部２５と、アタッチメント２をスピーカユニット３の所定位置に案内するための案内溝２６とがそれぞれ形成されている。
【００１７】
スピーカユニット３は、図１および図３を参照すると、一対のスピーカの間に、アタッチメント２に固定された携帯機器をセットするスペースが形成されており、当該スペースの底面には、アタッチメント２の一対の取り付けガイド２４に嵌合される一対の電源出力用接続端子３１と、セットされたアタッチメント２を支持する支持部３２とが設けられ、両側面には、アタッチメント２のロック用凹部２５に嵌ってセットされたアタッチメント２をロックするロック爪３３と、アタッチメント２の案内溝２６に係合する案内突起３４とがそれぞれ設けられている。
【００１８】
携帯機器１をスピーカユニット３にセットする際には、まず、図４に示すように、携帯機器１の下面にアタッチメント２を取り付ける。携帯機器１の下面へのアタッチメント２の取り付けは、ボルト２３を携帯機器１のボルト穴１１に螺合させると共に、一対の取り付けガイド２４を携帯機器１の一対の電源入力用接続端子１２にそれぞれ嵌合させることにより、携帯機器１がアタッチメント２に固定される。
【００１９】
次に、アタッチメント２の案内溝２６にスピーカユニット３の案内突起３４を係合させながら、携帯機器１に固定されたアタッチメント２をスピーカユニット３に上方からセットしていき、図５に示すように、アタッチメント２の底板２１をスピーカユニット３の支持部３２に当接させる。この状態では、アタッチメント２のロック用凹部２５にロック爪３３が嵌ってセットされたアタッチメント２がロックされると共に、アタッチメント２の一対の取り付けガイド２４に一対の電源出力用接続端子３１がそれぞれ嵌合される。
【００２０】
図５に示すように、スピーカユニット３にアタッチメント２を介して携帯機器１を取り付けた状態では、携帯機器１の電源入力用接続端子１２とスピーカユニット３の電源出力用接続端子３１とがアタッチメント２の取り付けガイド２４を介して接続されることになり、スピーカユニット３から携帯機器１への電源の供給が可能になる。なお、携帯機器１によって再生されたオーディオ信号は、図示しないケーブルによってスピーカユニット３に供給されるようになっている。
【００２１】
図６には、スピーカユニット３にアタッチメント２を介して小さいサイズの携帯機器１０を取り付けた状態が示されている。このように、アタッチメント２を大きなサイズの携帯機器１に合わせて構成すれば、ボルト穴１１および一対の電源入力用接続端子１２の位置関係が同一である小さいサイズの携帯機器１０にも対応することができる。
【００２２】
以上説明したように、本実施の形態によれば、携帯機器１に取り付けられた状態で、携帯機器１の電源入力用接続端子１２に接続されると共に、セットスペースにセットされた状態で、電源出力用接続端子３１に接続される導電性の取り付けガイド２３が設けられているアタッチメント２を用いることにより、複数のサイズの携帯機器１に対応することができ、汎用性の高いという効果を奏する。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２４】
【図１】本発明に係るスピーカシステムの実施の形態の構成を示す斜視図である。
【図２】図１に示すアタッチメントの構成を示す図であり、（ａ）は、上面図であり、（ｂ）は、正面図である。
【図３】図１に示すスピーカユニットの構成を示す図であり、（ａ）は、上面図であり、（ｂ）は、正面図である。
【図４】図１に示す携帯機器にアタッチメントを固定した状態を示す正面図である。
【図５】図１に示すスピーカユニットにアタッチメントを介して携帯機器を取り付けた状態を示す正面図である。
【図６】図１に示すスピーカユニットにアタッチメントを介して携帯機器を取り付けた状態を示す正面図である。
【図７】従来のスピーカシステムの構成を示す斜視図である。
【符号の説明】
【００２５】
１  携帯機器
２  アタッチメント
３  スピーカユニット
１０  携帯機器
１１  ボルト穴
１２  電源入力用接続端子
２１  底板
２２  側板
２３  取り付けボルト
２４  取り付けガイド
２５  ロック用凹部（固定手段）
２６  案内溝
３１  電源出力用接続端子
３２  支持部
３３  ロック爪（固定手段）
３４  案内突起
【図１】
2006080904.tif 000003
【図２】
2006080904.tif 000004
【図３】
2006080904.tif 000005
【図４】
2006080904.tif 000006
【図５】
2006080904.tif 000007
【図６】
2006080904.tif 000008
【図７】
2006080904.tif 000009